(57)【要約】【課題】本発明は、周囲への洗浄水の飛散を抑制して利便性を向上する洗車機を提供する。【解決手段】被洗浄車両ＣＡの下方を前後方向に移動して所定の噴射範囲Ｍで洗浄水を噴射して被洗浄車両ＣＡの下面を洗浄する下面洗浄部３０と、被洗浄車両ＣＡの形状を検知する車両センサ８、９と、を備えた洗車機ＷＡにおいて、被洗浄車両ＣＡの車両下面高さＨ１、Ｈ２の高さが高い時に低い時よりも被洗浄車両ＣＡの前端ＣＡ１と噴射範囲Ｍの前端との距離Ｌ１及び被洗浄車両ＣＡの後端ＣＡ２と噴射範囲Ｍの後端との距離Ｌ２を大きくした。【選択図】図４
2014019299.tif 000002
【特許請求の範囲】
【請求項１】
被洗浄車両の下方を前後方向に移動して所定の噴射範囲で洗浄水を噴射して被洗浄車両の下面を洗浄する下面洗浄部と、
被洗浄車両の形状を検知する車両センサと、を備えた洗車機において、
被洗浄車両の下面の高さが高い時に低い時よりも被洗浄車両の前端と前記噴射範囲の前端との距離及び被洗浄車両の後端と前記噴射範囲の後端との距離を大きくしたことを特徴とする洗車機。
【請求項２】
被洗浄車両の下面の高さが高い時に低い時よりも前記下面洗浄部の移動速度を遅くしたことを特徴とする請求項１に記載の洗車機。
【請求項３】
前記車両センサによって被洗浄車両のボンネットを検知し、前記下面洗浄部が前記ボンネットの下方を移動する時の移動速度を前記ボンネットの下方以外を移動する時よりも遅くしたことを特徴とする請求項２に記載の洗車機。
【発明の詳細な説明】
【技術分野】
【０００１】
本発明は被洗浄車両の下面を洗浄する下面洗浄部を備える洗車機に関する。
【背景技術】
【０００２】
従来の洗車機は特許文献１に開示される。洗車機は被洗浄車両の下面を洗浄する下面洗浄部及び車両センサを備える。下面洗浄部は被洗浄車両の下方を前後方向に移動し、噴射ノズルを備える。噴射ノズルは洗浄水を被洗浄車両の下面に向けて噴射する。車両センサは被洗浄車両の車長を検知する。
【０００３】
洗浄が開始されると車両センサによって被洗浄車両の車長が検知される。車長に応じて下面洗浄部は前後方向に移動して洗浄を開始する。これにより、被洗浄車両の下面が洗浄される。
【先行技術文献】
【特許文献】
【０００４】
【特許文献１】特開昭６１−１８１７４６号公報
【発明の概要】
【発明が解決しようとする課題】
【０００５】
しかしながら、同じ車長であっても車種によっては車高が高い車種がある。車高が高い場合には低い場合に比べ、下面洗浄部と被洗浄車両の下面との距離（以下、車両下面高さと記載する）が大きい。このため、車両下面高さが高い車両に対して、低い車両と同一の洗浄範囲でもって下面洗浄部が洗浄すると、被洗浄車両の前端や後端から洗浄水が周囲に飛散して利便性が低下するという問題がある。
【０００６】
本発明は、周囲への洗浄水の飛散を抑制して利便性を向上する洗車機を提供することを目的とする。
【課題を解決するための手段】
【０００７】
上記目的を達成するために本発明は、被洗浄車両の下方を前後方向に移動して所定の噴射範囲で洗浄水を噴射して被洗浄車両の下面を洗浄する下面洗浄部と、被洗浄車両の形状を検知する車両センサと、を備えた洗車機において、被洗浄車両の下面の高さ（車両下面高さと同義）が高い時に低い時よりも被洗浄車両の前端と前記噴射範囲の前端との距離及び被洗浄車両の後端と前記噴射範囲の後端との距離を大きくしたことを特徴とする。
【０００８】
この構成によると、洗車の開始が指示されると車両センサによって被洗浄車両の形状が検知される。下面洗浄部は被洗浄車両の下方を前後移動し、所定の噴射範囲で洗浄水を噴射して被洗浄車両の下面を洗浄する。この時、車両下面高さが高いときに低いときよりも噴射範囲の開始位置が後方に配され、終了位置が前方に配される。
【０００９】
また、本発明は上記構成の洗車機において、車両下面高さが高い時に低い時よりも前記下面洗浄部の移動速度を遅くしたことを特徴とする。
【００１０】
また、本発明は上記構成の洗車機において、前記車両センサによって被洗浄車両のボンネットを検知し、前記ボンネットの下方の前記下面洗浄部の移動速度を前記ボンネットの後方よりも遅くしたことを特徴とする。
【発明の効果】
【００１１】
本発明によると、下面洗浄部を車両下面高さが高い時に低い時よりも被洗浄車両の前端と噴射範囲の前端との距離及び被洗浄車両の後端と噴射範囲の後端との距離を大きくしたため、周囲への洗浄水の飛散を抑制して洗車機の利便性を向上することができる。
【図面の簡単な説明】
【００１２】
【図１】本発明の実施形態の洗車機の全体構成を示す側面図
【図２】本発明の実施形態の洗車機の全体構成を示す正面図
【図３】本発明の実施形態の洗車機の全体構成を示す平面図
【図４】本発明の実施形態の洗車機の下面洗浄部の動作を示す側面図
【図５】本発明の実施形態の洗車機の下面洗浄部の動作を示す側面図
【発明を実施するための形態】
【００１３】
本発明の一実施形態を図面を参照して説明する。図１、図２及び図３は本実施形態の洗車機を示す側面図、正面図及び平面図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１４】
洗車機本体１は前後に開口し、被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００１５】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、布（織布、編布、不織布等）や樹脂繊維から成るブラシ毛を放射状に固着して形成される。
【００１６】
サイドブラシ５は洗車機本体１の後部に左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下面を洗浄する。サイドブラシ５及びロッカーブラシ６もトップブラシ４と同様の回転軸及びブラシ毛を有している。
【００１７】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００１８】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００１９】
洗車機本体１には被洗浄車両ＣＡを乾燥させるトップ送風ノズル２１及びサイド送風ノズル２２を設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２０】
洗車機本体１の前面には車両センサ８、９が設けられている。車両センサ８は光電センサから成って左右一対で設けられ、洗車機本体１に進入する被洗浄車両ＣＡの外面形状、被洗浄車両ＣＡの車両下面高さ、前端及び後端を検知する。車両センサ９は超音波センサから成って洗車機本体１の上部に設けられ、洗車機本体１に進入する被洗浄車両ＣＡの車両形状やフロントガラス、ボンネット５０等を検知する。
【００２１】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２２】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２３】
また、高速洗浄コースや低速洗浄コースを設けて後述の下面洗浄装置３０の洗浄時間を可変にしている。高速洗浄コースを選択することにより被洗浄車両ＣＡの洗浄時間を短縮することができる。
【００２４】
レール２の間にはレール２の前端及び後端近傍まで伸びる左右一対のレール３２が設けられる。レール３２上には下面洗浄装置３０が載置される。下面洗浄装置３０は回転モータ、車輪（いずれも不図示）及び噴射ノズル３１を備える。回転モータの駆動により車輪がレール３２上を転動して下面洗浄装置３０がレール３２上を前後方向（噴射範囲Ｍ（図４、図５参照））に移動する。
【００２５】
下面洗浄装置３０は複数のノズル３１を備えて、ノズル３１から所定の噴射角度で高圧水などを噴射して被洗浄車両ＣＡの下面を洗浄する。また、洗浄水の噴射角度は洗車スタッフにより適宜設定可能である。
【００２６】
上記構成により、ユーザは操作パネル７やリモートパネル７Ａにて洗車機本体１の洗車条件を設定し、洗車機本体１の洗浄が開始される。洗車機本体１が前後方向に移動すると車両センサ８、９は被洗浄車両ＣＡの形状や被洗浄車両ＣＡの車両下面高さＨ１、Ｈ２の高さを検知する。車両センサ８、９の検知結果に基づき各種回転ブラシが被洗浄車両ＣＡに摺動して被洗浄車両ＣＡの洗浄が開始される。
【００２７】
図４は乗用車系の被洗浄車両ＣＡを洗浄する下面洗浄部３０の洗浄動作を示す図である。下面洗浄部３０は被洗浄車両ＣＡの車両下面高さＨ１の時には前端ＣＡ１と噴射範囲Ｍの前端（開始位置）との第１距離Ｌ１だけ離れて噴射を開始する。乗用車系の被洗浄車両ＣＡの場合には第１距離Ｌ１を例えば約２００ｍｍ設けている。
【００２８】
下面洗浄部３０が噴射範囲Ｍの間を移動中、下面洗浄部３０は洗浄水を噴射して被洗浄車両ＣＡの下面を洗浄する。この時、下面洗浄部３０は被洗浄車両ＣＡの前部であるボンネット５０の下方の移動速度をボンネット５０の後方よりも遅くして前後方向に移動する。これにより、エンジンルーム内の油汚れや配管上の塵埃等の多いボンネット５０の下方の洗浄力を向上できる。
【００２９】
その後、下面洗浄部３０は被洗浄車両ＣＡの後端ＣＡ２と噴射範囲Ｍの後端との第２距離を設けて噴射を終了する。この時、乗用車系の被洗浄車両ＣＡの場合には第２距離Ｌ２を例えば約２１０ｍｍ設けている。なお、第１距離Ｌ１と第２距離Ｌ２とは同じであってもよい。その後、洗車機本体１は各種ブロアを用いて被洗浄車両ＣＡを乾燥させて洗浄は終了する。
【００３０】
図５はジープ系の被洗浄車両ＣＡを洗浄する下面洗浄部３０の洗浄動作を示す図である。ジープ系の被洗浄車両ＣＡは乗用車系の被洗浄車両ＣＡ（図４参照）に比べて被洗浄車両ＣＡの車両下面高さＨ１が高い。
【００３１】
このため、第１距離Ｌ１（約４５０ｍｍ）、第２距離Ｌ２は乗用車系の被洗浄車両ＣＡに比べて大きくしている。このように、被洗浄車両ＣＡの車両下面高さＨ１、Ｈ２が高い時に低いい時よりも被洗浄車両ＣＡの前端ＣＡ１と噴射範囲Ｍの前端（開始位置）との第１距離Ｌ１及び被洗浄車両ＣＡの後端ＣＡ２と噴射範囲Ｍの後端（終了位置）との第２距離Ｌ２を大きくし、周囲への洗浄水の飛散を抑制する。
【００３２】
また、ジープ系の被洗浄車両ＣＡを洗浄する際、下面洗浄部３０は乗用車系の被洗浄車両ＣＡを洗浄する時よりも移動速度を遅くして洗浄する。これにより、被洗浄車両ＣＡの車両下面高さＨ１が高い場合でも洗浄力の低下を抑制できる。
【００３３】
また、被洗浄車両ＣＡの車両下面高さＨ１、Ｈ２を直接検知するのではなく、ボンネット５０の高さや形状に応じて噴射範囲Ｍの開始位置及び終了位置を可変にしてもよい。ボンネット５０の高さや形状によってある被洗浄車両ＣＡの種類を概ね特定できるためである。
【００３４】
本実施形態によると、下面洗浄部３０は被洗浄車両ＣＡの車両下面高さＨ１、Ｈ２が高い時に低い時よりも被洗浄車両ＣＡの前端ＣＡ１と噴射範囲Ｍの前端（開始位置）との第１距離Ｌ１及び被洗浄車両ＣＡの後端ＣＡ２と噴射範囲Ｍの後端（終了位置）との第２距離Ｌ２を大きくしたために、周囲への洗浄水の飛散を抑制して洗車機ＷＡの利便性を向上できる。
【００３５】
また、被洗浄車両ＣＡの車両下面高さが大きい時に小さい時よりも下面洗浄部３０の移動速度を遅くしたため、洗浄力の低下を抑制できる。
【００３６】
また、車両センサ８によってボンネット５０を検知し、下面洗浄部３０がボンネット５０の下方を移動する時の移動速度をボンネット５０の下方以外を移動する時よりも遅くしたため、ボンネット５０の下方の洗浄力を向上できる。これにより、エンジンルーム内の油汚れや配管上の塵埃等の多いボンネット５０の下方の洗浄力を向上できる。
【産業上の利用可能性】
【００３７】
本発明によると、被洗浄車両の下面を洗浄する下面洗浄部を備える洗車機に利用することができる。
【符号の説明】
【００３８】
１      洗車機本体
４      トップブラシ
５      サイドブラシ
６      ロッカーブラシ
７      操作パネル
７Ａ    リモートパネル
８      車両センサ
９      車両センサ
３０    下面洗浄装置
ＣＡ    被洗浄車両
Ｌ１    第１距離
Ｌ２    第２距離
Ｍ      噴射範囲
ＷＡ    洗車機
【図１】
2014019299.tif 000003
【図２】
2014019299.tif 000004
【図３】
2014019299.tif 000005
【図４】
2014019299.tif 000006
【図５】
2014019299.tif 000007